(57)【特許請求の範囲】
【請求項１】
ネットワークを介して利用できる様々な電子図書館サービスを提供し，電子図書館サービスの呼び出し要求を受けると，呼び出し要求を受けた前記電子図書館サービスを実行し，前記電子図書館サービスの呼び出し要求をした装置に対して，前記電子図書館サービスの実行結果を送信する電子図書館サイトと，
前記電子図書館サイトが提供している前記電子図書館サービスを利用するアプリケーションプログラムを実装した携帯端末と，
前記携帯端末から音声の特徴量を受信すると，音声の特徴量を用いて音声認識を行い，音声認識により得られたテキスト形式の音声認識結果を前記携帯端末へ送信する音声認識サーバと，
前記携帯端末からテキストを受信すると，このテキストの合成音声を生成して前記携帯端末へ送信する音声合成サーバと
から少なくとも構成された電子図書館システムであって，
前記アプリケーションプログラムが起動することによって前記携帯端末は，
ユーザがマイクに入力した音声の特徴量を抽出して，音声の特徴量を前記音声認識サーバに送信し，ユーザがマイクに入力した音声に対応する音声認識結果を前記音声認識サーバから取得する特徴量抽出部と，
前記電子図書館サイトの操作に係る手続きとその実行順序を記述した電子図書館操作フローが登録され，前記電子図書館操作フローに記述されている前記手続きを実行する際，音声入力を開始する動作を検知すると，前記特徴量抽出部を作動させて，ユーザがマイクに入力した音声の音声認識結果を前記特徴量抽出部から取得した後，前記特徴量抽出部から取得した音声認識結果を利用して，この時点の前記手続きに対応する前記前記電子図書館サービスを呼び出し，呼び出した前記前記電子図書館サービスの実行結果を前記電子図書館サイトから受信すると，前記音声合成サーバを利用して，前記電子図書館サイトから受信した実行結果に対応する合成音声を生成して音声出力する手続き実行部を備える，
ことを特徴とする電子図書館システム。
【請求項２】
前記アプリケーションプログラムが起動することによって前記携帯端末に備えられる前記手続き実行部は，音声入力を開始する動作を検知すると，この時点の前記手続きに係る音声ガイダンスを音声出力してから，前記特徴量抽出部を作動させることを特徴とする，請求項１に記載した電子図書館システム。
【請求項３】
前記携帯端末はモーションセンサを備え，前記アプリケーションプログラムが起動することによって前記携帯端末に備えられる前記手続き実行部は，前記携帯端末が振られたことを，音声入力を開始する動作として検知することを特徴とする，請求項１または請求項２に記載した電子図書館システム。
【請求項４】
資料を検索する前記電子図書館サービスを呼び出し，前記特徴量抽出部から取得した音声認識結果に適合する資料を検索する資料検索手続き，前記資料検索手続きの検索結果に含まれるテキストの合成音声を音声出力した後，資料を選択する前記電子図書館サービスを呼び出し，前記特徴量抽出部から取得した音声認識結果に対応する資料を選択する資料選択手続き，前記電子図書館サイトにログインする前記電子図書館サービスを呼び出し，前記特徴量抽出部から取得した音声認識結果を利用して，前記電子図書館サイトにログインするログイン手続き，資料を貸出しする前記電子図書館サービスを呼び出し，前記資料選択手続きにて選択した資料を前記電子図書館サイトから借りる貸出手続き，資料のコンテンツを提供する前記電子図書館サービスを呼び出し，前記貸出手続きにて前記電子図書館サイトから借りた資料のコンテンツに含まれるテキストを合成音声により再生する再生手続きを順に実行することを，前記電子図書館サイトから資料を借りて読む操作に係る前記手続きとその実行順序として前記電子図書館操作フローに記述したことを特徴とする，請求項１から請求項３のいずれか一つに記載した電子図書館システム。
【請求項５】
前記資料選択手続きにおいて，ユーザが借りている資料が検索されると，資料を返却する前記電子図書館サービスを呼び出し，前記特徴量抽出部から取得した音声認識結果によって指定された資料を前記電子図書館サイトへ返却する返却手続きを実行することを，資料の返却操作に係る前記手続きとその実行順序として前記電子図書館操作フローに記述したことを特徴とする，請求項４に記載した電子図書館システム。
【請求項６】
前記貸出手続きにおいて，前記資料選択手続きにて選択した資料が貸出不可の場合，資料を予約する前記電子図書館サービスを呼び出し，前記資料選択手続きにて選択した資料を前記電子図書館サイトに予約する予約手続きを実行することを，資料の予約操作に係る前記手続きとその実行順序として前記電子図書館操作フローに記述したことを特徴とする，請求項４または請求項５に記載した電子図書館システム。
【請求項７】
前記アプリケーションプログラムが起動することによって前記携帯端末は，ユーザがマイクに入力した音声の声紋を認証する声紋認証部を備え，前記手続き実行部は，前記ログイン手続きにおいて，ユーザがマイクに入力した音声の声紋認証に前記声紋認証部が成功したときのみ，前記電子図書館サイトにログインする前記電子図書館サービスを呼び出すことを特徴とする，
請求項４から請求項６のいずれか一つに記載した電子図書館システム。
【発明の詳細な説明】
【技術分野】
【０００１】
本発明は，インターネットを利用して電子資料を貸し出す電子図書館を音声操作できるようにした発明である。
【背景技術】
【０００２】
目の不自由な方（以下，「視覚障害者」と記す。）にとって，読書から得られる楽しみは健常者よりも大きいため，視覚障害者用の図書館として，視覚障害者用の図書（点字図書と録音図書）を視覚障害者に貸し出す点字図書館が既に設立されている。しかし，点字図書館が蔵書する視覚障害者用の図書はボランティアの協力を得て製作されるため，視覚障害者用の図書の蔵書数は通常の図書館よりも遥かに少なく，また，点字図書館は，視覚障害者用の図書を郵送で視覚障害者に貸し出すため，リアルタイムで視覚障害者用の図書を借りることができない問題もある。
【０００３】
一方で，健常者用の図書館については，利用者の利便性を高めるために，インターネットを利用して電子資料を貸し出す電子図書館の普及が進んでいる。インターネットを用いた電子図書館に係る発明は既に開示され，例えば，特許文献１では，ユーザがインターネットを介して電子図書館にアクセスし，電子資料の検索、電子資料の貸出及び電子資料の返却などの手続をすることができるシステムが開示されている。
【０００４】
視覚障害者が電子図書館を利用できれば，視覚障害者は，図書館の建屋に出向かなくとも電子資料を借りることができるし，また，視覚障害者が借りることのできる電子資料の数も増えるが，電子資料を貸し出す電子図書館は，視覚障害者が独力で利用し易いように構成されていない。
【０００５】
視覚障害者が独力で電子図書館を利用し易くするためには，画面を見ずに電子図書館を利用できればよく，音声を利用して電子図書館を操作できれば，視覚障害者が独力で利用し易くなると考えられる。
【０００６】
音声を利用した図書システムに係る発明としては，特許文献２において，音声を利用することで，視覚障害者の利便性を高めた情報アクセスシステムが開示されている。特許文献２には，ユーザの音声を音声認識すること，音声認識結果に基づいて電子資料（刊行物）を検索することで，電子資料のテキストの音声合成を生成することなどが記載されているが，特許文献２に係る発明では，音声を利用して電子図書館を操作できることには着眼されていない。
【０００７】
電子図書館は，複数のＷｅｂページを有し，Ｗｅｂページを任意に切り替えられるように構成されているが，画面を見ることができない視覚障害者にとって，音声により電子図書館のＷｅｂページを任意に切り替えることができたとしても，電子図書館のＷｅｂページを任意に切り替えて電子図書館を利用することは困難である。
【先行技術文献】
【特許文献】
【０００８】
【特許文献１】特開２００８−２６２５１８号公報
【特許文献２】特開平７−１５２７８７号公報
【発明の概要】
【発明が解決しようとする課題】
【０００９】
そこで，本発明は，視覚障害者が音声により電子図書館を容易に利用できる電子図書館システムを提供することを課題とする。
【課題を解決するための手段】
【００１０】
上述した課題を解決する第１の発明は，ネットワークを介して利用できる様々な電子図書館サービスを提供し，電子図書館サービスの呼び出し要求を受けると，呼び出し要求を受けた前記電子図書館サービスを実行し，前記電子図書館サービスの呼び出し要求をした装置に対して，前記電子図書館サービスの実行結果を送信する電子図書館サイトと，前記電子図書館サイトが提供している前記電子図書館サービスを利用するアプリケーションプログラムを実装した携帯端末と，前記携帯端末から音声の特徴量を受信すると，音声の特徴量を用いて音声認識を行い，音声認識により得られたテキスト形式の音声認識結果を前記携帯端末へ送信する音声認識サーバと，前記携帯端末からテキストを受信すると，このテキストの合成音声を生成して前記携帯端末へ送信する音声合成サーバとから少なくとも構成された電子図書館システムである。
視覚障害者であっても，音声により電子図書館を容易に利用できるように，前記アプリケーションプログラムが起動することで，前記携帯端末は，ユーザがマイクに入力した音声の特徴量を抽出して，音声の特徴量を前記音声認識サーバに送信し，ユーザがマイクに入力した音声に対応する音声認識結果を前記音声認識サーバから取得する特徴量抽出部と，前記電子図書館サイトの操作に係る手続きとその実行順序を記述した電子図書館操作フローが登録され，前記電子図書館操作フローに記述されている前記手続きを実行する際，音声入力を開始する動作を検知すると，前記特徴量抽出部を作動させて，ユーザがマイクに入力した音声の音声認識結果を前記特徴量抽出部から取得した後，前記特徴量抽出部から取得した音声認識結果を利用して，この時点の前記手続きに対応する前記前記電子図書館サービスを呼び出し，呼び出した前記前記電子図書館サービスの実行結果を前記電子図書館サイトから受信すると，前記音声合成サーバを利用して，前記電子図書館サイトから受信した実行結果に対応する合成音声を生成して音声出力する手続き実行部を備える。
【００１１】
上述した課題を解決する第２の発明は，第１の発明に記載した電子図書館システムにおいて，前記手続き実行部は，音声入力を開始する動作を検知すると，この時点の前記手続きに係る音声ガイダンスを音声出力してから，前記特徴量抽出部を作動させることを特徴とする。前記手続き実行部が，音声入力を開始する動作を検知すると，この時点の前記手続きに係る音声ガイダンスを音声出力するように構成することで，ユーザは，前記手続き実行部が実行しているこの時点の前記手続きを音声ガイダンスにより把握できる。
【００１２】
上述した課題を解決する第３の発明は，第１の発明または第２の発明に記載した電子図書館システムにおいて，前記携帯端末はモーションセンサを備え，前記手続き実行部は，前記携帯端末が振られたことを，音声入力を開始する動作として検知することを特徴とする。音声入力を開始する動作は，音声入力を開始するためのボタンオブジェクトを選択する動作とすることもできるが，ユーザが視覚障害者であることを想定すると，前記携帯端末が振られたことを，音声入力を開始する動作として検知するようにすることが好適である。
【００１３】
上述した課題を解決する第４の発明は，第１の発明から第３の発明のいずれか一つに記載した電子図書館システムにおいて，資料を検索する前記電子図書館サービスを呼び出し，前記特徴量抽出部から取得した音声認識結果に適合する資料を検索する資料検索手続き，前記資料検索手続きの検索結果に含まれるテキストの合成音声を音声出力した後，資料を選択する前記電子図書館サービスを呼び出し，前記特徴量抽出部から取得した音声認識結果に対応する資料を選択する資料選択手続き，前記電子図書館サイトにログインする前記電子図書館サービスを呼び出し，前記特徴量抽出部から取得した音声認識結果を利用して，前記電子図書館サイトにログインするログイン手続き，資料を貸出しする前記電子図書館サービスを呼び出し，前記資料選択手続きにて選択した資料を前記電子図書館サイトから借りる貸出手続き，資料のコンテンツを提供する前記電子図書館サービスを呼び出し，前記貸出手続きにて前記電子図書館サイトから借りた資料のコンテンツに含まれるテキストを合成音声により再生する再生手続きを順に実行することを，前記電子図書館サイトから資料を借りて読む操作に係る前記手続きとその実行順序として前記電子図書館操作フローに記述したことを特徴とする。第４の発明によれば，前記電子図書館サイトから資料を借りて読む一連の操作を音声により実施できる。
【００１４】
上述した課題を解決する第５の発明は，第４の発明に記載した電子図書館システムであって，前記資料選択手続きにおいて，ユーザが借りている資料が検索されると，資料を返却する前記電子図書館サービスを呼び出し，前記特徴量抽出部から取得した音声認識結果によって指定された資料を前記電子図書館サイトへ返却する返却手続きを実行することを，資料の返却操作に係る前記手続きとその実行順序として前記電子図書館操作フローに記述したことを特徴とする。第５の発明によれば，前記電子図書館サイトから借りた資料を返却する操作を音声により実施できる。
【００１５】
上述した課題を解決する第６の発明は，第４の発明または第５の発明に記載した電子図書館システムであって，前記資料選択手続きにて選択した資料が貸出不可の場合，資料を予約する前記電子図書館サービスを呼び出し，前記資料選択手続きにて選択した資料を前記電子図書館サイトに予約する予約手続きを実行することを，資料の予約操作に係る前記手続きとその実行順序として前記電子図書館操作フローに記述したことを特徴とする。第６の発明によれば，前記電子図書館サイトに資料を予約する操作を音声により実施できる。
【００１６】
上述した課題を解決する第７の発明は，第４の発明から第６の発明のいずれか一つに記載した電子図書館システムにおいて，前記アプリケーションプログラムが起動することによって前記携帯端末は，ユーザがマイクに入力した音声の声紋を認証する声紋認証部を備え，前記手続き実行部は，前記ログイン手続きにおいて，ユーザがマイクに入力した音声の声紋認証に前記声紋認証部が成功したときのみ，前記電子図書館サイトにログインする前記電子図書館サービスを呼び出すことを特徴とする。ユーザがマイクに入力した音声の声紋を認証することで，前記電子図書館サイトへのログインに係るセキュリティを高めることができる。
【発明の効果】
【００１７】
上述した本発明に係る電子図書館システムによれば，電子図書館操作フローに従い，音声を利用する手続きが自動的に実行されるため，視覚障害者であっても，音声により電子図書館を容易に利用できるようになる。
【図面の簡単な説明】
【００１８】
【図１】本実施形態に係る電子図書館システムの構成を説明する図。
【図２】本実施形態に係る携帯端末のブロック図。
【図３】本実施形態に係る電子図書館操作フローを説明する図。
【図４】資料検索手続きにおいて，手続き実行部が実行する処理を説明する図。
【図５】電子図書館サイトのトップページを説明する図。
【図６】資料選択手続きにおいて，手続き実行部が実行する処理を説明する図。
【図７】資料の検索結果を表示する電子図書館サイトのページを説明する図。
【図８】貸出手続きにおいて，手続き実行部が実行する処理を説明する図。
【図９】ログイン手続きにおいて，手続き実行部が実行する処理を説明する図。
【図１０】再生手続きにおいて，手続き実行部が実行する処理を説明する図。
【図１１】資料返却手続きにおいて，手続き実行部が実行する処理を説明する図。
【発明を実施するための形態】
【００１９】
ここから，本発明の好適な実施形態を記載する。なお，以下の記載は本発明の技術的範囲を束縛するものでなく，理解を助けるために記述するものである。
【００２０】
ここから，本実施形態に係る電子図書館システム１について説明する。図１は，本実施形態に係る電子図書館システム１の構成を説明する図である。本実施形態に係る電子図書館システム１は，視覚障害者が独力で電子図書館を利用できるように発案されたシステムで，図１に図示したように，携帯端末２，電子図書館サイト３，音声認識サーバ４，音声合成サーバ５を含み，それぞれはネットワーク１ａを介してデータ通信できる。
【００２１】
電子図書館システム１を構成する電子図書館サイト３は，電子図書館サイト３で蓄積しているさまざまな電子資料（以下，単に「資料」と記す。）の検索，資料の貸出，資料の予約，資料の返却など電子図書館業務に係る様々な手続きを，携帯端末２で動作するアプリケーションプログラムが利用できるようにするため電子図書館サービスを提供し，本実施形態では，電子図書館サービスを呼び出すためのＡＰＩ（Application Programming Interface）を外部に公開している。電子図書館サイト３は，ＨＴＴＰ（HyperText Transfer Protocol）を利用して携帯端末２とデータ通信し，携帯端末２から呼び出されたＡＰＩに対応する電子図書館サービスに係る処理を実行し，その実行結果を携帯端末２へ返信する処理を行う。なお，電子図書館サイト３はクラウド型のシステムで構成することが好適である。
【００２２】
電子図書館システム１を構成する音声認識サーバ４は，携帯端末２から受信した音声の特徴量を音声認識し，テキスト形式の音声認識結果を携帯端末２へ送信するサーバである。音声認識の手法は様々あるが，本実施形態に係る音声認識サーバ４は，認識単位の単語毎に音声の特徴量を保持し，携帯端末２から受信した音声の特徴量に対応する単語を特定して順に並べることでテキスト形式の音声認識結果を生成する。
【００２３】
電子図書館システム１を構成する音声合成サーバ５は，携帯端末２から受信したテキストを解析し，テキストに含まれる文字に対応する音声を合成することで，所定形式（例えば，ＭＰ３形式）の合成音声を生成して携帯端末２へ送信するサーバである。音声合成の手法は様々あるが，対象となるテキストを形態素解析してテキストを発音記号列に変換し，発音記号列から音声合成に必要なパラメータを生成して，このパラメータを用いて音声波形を合成することで合成音声を生成する手法が既に知られている。
【００２４】
電子図書館システム１を構成する携帯端末２は，ユーザ（ここでは，視覚障害者になる）が電子図書館サイト３を利用する際に用いる端末で，具体的には，スマートフォンやタブレットである。
【００２５】
図２は，本実施形態に係る携帯端末２のブロック図である。図２に図示したように，携帯端末２は，マイク２４，モーションセンサ２５，タッチパネル２６およびスピーカ２７を備える。携帯端末２が備えるマイク２４は，音を電気信号に変換する機器である。携帯端末２が備えるモーションセンサ２５は，携帯端末２の動きの変化を検出するセンサで，具体的には，３軸ジャイロセンサや３軸加速度センサである。携帯端末２が備えるタッチパネル２６は，液晶ディスプレイなどのディスプレイと，ディスプレイに直接触れることで操作を行う装置が組み合わされた電子機器である。携帯端末２が備えるスピーカ２７は，音声出力に用いるデバイスで，電気信号を音に変換する機器である。なお，音声出力端子をスピーカ２７の代わりに用いてもよい。
【００２６】
また，携帯端末２は，図２では図示していないプロセッサを動作させるコンピュータプログラムとして，電子図書館サイト３が公開しているＡＰＩを利用して，電子図書館サイト３が提供している電子図書館サービスを呼び出して，音声により電子図書館サイト３を操作できるように構成された電子図書館アプリケーション２０がインストールされ，図２に図示しているように，電子図書館アプリケーション２０は，手続き実行部２１，特徴量抽出部２２および声紋認証部２３を備える。
【００２７】
電子図書館アプリケーション２０が有する特徴量抽出部２２は，電子図書館サイト３を利用するユーザの音声を認識するために備えられた機能である。電子図書館アプリケーション２０の特徴量抽出部２２は，音声認識が指定されて手続き実行部２１から呼び出されると，ユーザがマイク２４に入力した音声の特徴量（例えば，周波数スペクトルなど）を抽出し，抽出した特徴量を音声認識サーバ４に送信して、ユーザがマイク２４に入力した音声を音声認識サーバ４に音声認識させた後，音声認識サーバ４から受信した音声認識結果を手続き実行部２１に引き渡す処理を実行する。また，電子図書館アプリケーション２０の特徴量抽出部２２は，音声認識と声紋認証が指定されて手続き実行部２１から呼び出されると，上述した内容に加え，ユーザがマイク２４に入力した音声を後述する声紋認証部２３に引き渡して，声紋認証部２３から声紋認証結果を受取り，音声認識サーバ４から受信した音声認識結果と声紋認証部２３から受信した声紋認証結果を手続き実行部２１に引き渡す処理を実行する。
【００２８】
電子図書館アプリケーション２０が有する声紋認証部２３は，電子図書館サイト３を利用するユーザを声紋認識できるように備えられた機能で，特徴量抽出部２２から引き渡された音声の声紋と、予め声紋認証部２３に登録されている声紋を照合し、声紋認証結果を特徴量抽出部２２に引き渡す処理を実行する。
【００２９】
電子図書館アプリケーション２０が有する手続き実行部２１は，音声による電子図書館サイト３の操作を制御するために備えられた機能である。複数のＷｅｂページを有する電子図書館サイト３は，Ｗｅｂページを任意に切り替えられるように構成されているが，Ｗｅｂページを見ることができない視覚障害者にとって，Ｗｅｂページを任意に切り替えることは困難である。そこで，本実施形態に係る手続き実行部２１は，電子図書館サイト３の操作に係る手続きとその実行順序を記述した電子図書館操作フローに従い，電子図書館操作フローに含まれる手続きを順に実行するように構成され，手続きを実行する際，音声入力を開始する動作を検知すると，特徴量抽出部２２を作動させて，ユーザがマイク２４に入力した音声の音声認識結果を特徴量抽出部２２から取得した後，特徴量抽出部２２から取得した音声認識結果を利用して，この時点，すなわち，音声入力を開始する動作を検知した時点の手続きに対応する電子図書館サービスを呼び出し，呼び出した電子図書館サービスの実行結果を電子図書館サイト３から受信すると，音声合成サーバ５を利用して，電子図書館サイト３から受信した実行結果に対応する合成音声を生成し，この合成音声を音声出力する処理を実行する。
【００３０】
図３は，本実施形態に係る電子図書館操作フローを説明する図である。図３で図示した電子図書館操作フローには，音声を利用して電子図書館サイト３を操作する手続きとして，資料を検索する電子図書館サービスを呼び出し，特徴量抽出部２２から取得した音声認識結果に適合する資料を検索する資料検索手続きＴ１，資料検索手続きＴ１の検索結果に含まれるテキストの合成音声を音声出力した後，特徴量抽出部２２から取得した音声認識結果に対応する資料を選択する資料選択手続きＴ２，特徴量抽出部２２から取得した音声認識結果をログインキーワードとし，電子図書館サイト３にログインする電子図書館サービスを呼び出し，電子図書館サイト３にログインするログイン手続きＴ４，資料を貸出す電子図書館サービスを呼び出し，資料選択手続きＴ２にて選択した資料を電子図書館サイト３から借りる貸出手続きＴ３，資料のコンテンツを提供する電子図書館サービスを呼び出し，貸出手続きＴ３にて電子図書館サイト３から借りた資料を再生する再生手続きＴ５，資料を返却する電子図書館サービスを呼び出し，資料選択手続きＴ２にて選択した資料を電子図書館サイト３へ返却する返却手続きＴ６が含まれる。
【００３１】
図３で図示した電子図書館操作フローによれば，電子図書館アプリケーション２０が起動した後に，手続き実行部２１が実行する手続きは資料検索手続きＴ１になり，資料検索手続きＴ１にて資料を検索すると，手続き実行部２１が実行する手続きは資料選択手続きＴ２に遷移する。資料選択手続きＴ２にて，資料を選択すると，手続き実行部２１が実行する手続きは貸出手続きＴ３に遷移する。貸出手続きＴ３において，電子図書館サイト３にログインしているか確認され，電子図書館サイト３にログインしていない場合，手続き実行部２１が実行する手続きはログイン手続きＴ４に遷移する。また，貸出手続きＴ３において，電子図書館サイト３にログインしている場合，または，ログイン手続きＴ４において，電子図書館サイト３にログインした後，資料選択手続きＴ２にて選択した資料を電子図書館サイト３から借りると，手続き実行部２１が実行する手続きは再生手続きＴ５に遷移する。再生手続きＴ５が終了すると，手続き実行部２１が実行する手続きは資料検索手続きＴ１に戻る。また，資料検索手続きＴ１において，電子図書館サイト３に返却する資料が検索された場合，手続き実行部２１が実行する手続きは返却手続きＴ６に遷移し，選択された資料を電子図書館サイト３へ返却すると，手続き実行部２１が実行する手続きは資料検索手続きＴ１に戻る。
【００３２】
なお，電子図書館アプリケーション２０を起動させる操作は，電子図書館アプリケーション２０のアイコンを選択（ダブルタップ）する操作になり，視覚障害者でも電子図書館アプリケーション２０を起動できるように，携帯端末２は，音声を使用したアプリケーション起動，また，タッチパネル２６に表示されている内容を読み上げるスクリーンリーダに対応していることが望ましい。
【００３３】
ここから，図３で図示した電子図書館操作フローに含まれる各手続きにて，電子図書館アプリケーション２０の手続き実行部２１が実行する処理について詳細に説明する。図４は，資料検索手続きＴ１において，手続き実行部２１が実行する処理を説明する図である。資料検索手続きＴ１において，電子図書館アプリケーション２０の手続き実行部２１は，まず，音声入力を開始する動作を受け付ける状態になり，音声入力を開始する動作を検知すると（Ｓ１），この時点，すなわち，音声入力を開始する動作を検知した時点に対応する音声ガイダンス（例えば，「キーワードを話してください。」）をスピーカ２７から音声出力した後（Ｓ２），音声認識を指定して特徴量抽出部２２を作動させる（Ｓ３）。
【００３４】
音声入力を開始する動作は，携帯端末２のタッチパネル２６の中央部にボタンオブジェクトを表示し，このボタンオブジェクトを選択（タップ）する動作とすることもできるが，音声入力を開始する動作を，携帯端末２を振る動作とすることが好適である。音声入力を開始する動作を，携帯端末２を振る動作とし，音声入力を開始する動作を検知すると音声ガイダンスを音声出力するように構成することで，ユーザは，携帯端末２を振るだけで，電子図書館アプリケーション２０の手続き実行部２１が実行している現時点の手続きを把握できる。なお，携帯端末２を振る動作は，携帯端末２のモーションセンサ２５を利用して検知できる。
【００３５】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ４）。
【００３６】
電子図書館アプリケーション２０の手続き実行部２１は，特徴量抽出部２２から音声認識結果が引き渡されると，音声認識結果に従い処理を分岐する（Ｓ５）。特徴量抽出部２２から引き渡された音声認識結果が，予め手続き実行部２１に登録されているカテゴリーの場合，手続き実行部２１は，特徴量抽出部２２から引き渡された音声認識結果をカテゴリーとし，このカテゴリーに適合する資料を検索する電子図書館サービスを呼び出して（Ｓ６），このカテゴリーに適合する資料の検索結果をこの電子図書館サービスの実行結果として電子図書館サイト３から取得する（Ｓ７）。そして，電子図書館アプリケーション２０の手続き実行部２１は，電子図書館サービスの実行結果に対応する合成音声として，音声合成サーバ５を利用して，資料の検索結果に含まれる資料の件数を通知する合成音声を生成し，この合成音声をスピーカ２７から音声出力して（Ｓ１０），手続き実行部２１が実行する手続きを資料選択手続きＴ２に遷移させる。
【００３７】
また，特徴量抽出部２２から引き渡された音声認識結果が，予め手続き実行部２１に登録されているカテゴリー以外の場合，電子図書館アプリケーション２０の手続き実行部２１は，特徴量抽出部２２から引き渡された音声認識結果を検索キーワードとし，この検索キーワードに適合する資料を検索する電子図書館サービスを呼び出して（Ｓ８），この検索キーワードに適合する資料の検索結果をこの電子図書館サービスの実行結果として電子図書館サイト３から取得する（Ｓ９）。そして，電子図書館アプリケーション２０の手続き実行部２１は，電子図書館サービスの実行結果に対応する合成音声として，音声合成サーバ５を利用して，資料の検索結果に含まれる資料の件数を通知する合成音声を生成し，スピーカ２７から合成音声を音声出力して（Ｓ１０），手続き実行部２１が実行する手続きを資料選択手続きＴ２に遷移させる。
【００３８】
図５は，電子図書館サイト３のトップページ６を説明する図である。図５で図示したトップページ６は，ページ移動することなく表示内容を変更するタブとして，３つのタブ，「新着」，「ランキング」，「マイページ」が含まれる。「新着」のタブ６ａは，所定期間内に出版された新着を表示するタブで，「ランキング」のタブ６ｂは，所定期間内で貸出件数の多い資料をランキング形式で表示するタブで，「マイページ」のタブ６ｃは，ユーザに貸出している資料を少なくとも表示するタブである。例えば，音声認識結果が一致するカテゴリーが「新着」の場合，手続き実行部２１は，「新着」のタブ６ａが選択されたときの表示内容（所定期間内に出版された新着のリスト）を検索結果として電子図書館サイト３から取得する。また，図５で図示したトップページ６は，検索キーワードを入力する入力フォーム６ｄとキーワード検索を実行するボタン６ｅを有し，例えば，音声認識結果が「歴史」の場合，手続き実行部２１は，入力フォーム６ｄに「歴史」が入力されたときのキーワード検索の検索結果を電子図書館サイト３から取得する。
【００３９】
なお，図５において，「マイページ」のタブ６ｃは，ユーザが電子図書館サイト３にログインしている状態でのみ表示されるタブである。電子図書館サイト３にログインしている状態で，音声認識結果が一致するカテゴリーが「マイページ」の場合，手続き実行部２１は，「マイページ」のタブ６ｃが選択されたときの表示内容を検索結果として電子図書館サイト３から取得する。
【００４０】
図６は，資料選択手続きＴ２において，手続き実行部２１が実行する処理を説明する図である。資料選択手続きＴ２において，電子図書館アプリケーション２０の手続き実行部２１は，資料検索手続きＴ１にて電子図書館サイト３から取得した検索結果に含まれるテキストを音声合成サーバ５に送信して，検索結果に含まれるテキストの合成音声を音声合成サーバ５から取得した後，音声合成サーバ５から取得した合成音声をスピーカ２７から音声出力する（Ｓ２０）。
【００４１】
電子図書館アプリケーション２０の手続き実行部２１は，電子図書館サイト３から取得した検索結果を音声出力すると，音声入力を開始する動作を受け付ける状態になり，音声入力を開始する動作を検知すると（Ｓ２１），この時点に対応する音声ガイダンス（例えば，「選択する資料のタイトルまたは資料の番号を話してください。」）をスピーカ２７から音声出力した後（Ｓ２２），音声認識を指定して特徴量抽出部２２を作動させる（Ｓ２３）。
【００４２】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ２４）。
【００４３】
電子図書館アプリケーション２０の手続き実行部２１は，特徴量抽出部２２から音声認識結果が引き渡されると，音声認識結果に従い処理を分岐する（Ｓ２５）。特徴量抽出部２２から引き渡された音声認識結果が，資料のタイトルまたは資料の番号の場合，手続き実行部２１は，音声認識結果（ここでは，タイトルまたは番号）で特定される資料を選択状態にし（Ｓ２８），手続き実行部２１が実行する手続きを貸出手続きＴ３に遷移させる。
【００４４】
また，電子図書館アプリケーション２０の手続き実行部２１は，特徴量抽出部２２から引き渡された音声認識結果が，資料のタイトルまたは資料の番号の以外の場合，特徴量抽出部２２から引き渡された音声認識結果が，手続き実行部２１に予め登録されている並び替えに係る単語であるか確認し，特徴量抽出部２２から引き渡された音声認識結果が，並び替えに係る単語の場合，音声認識結果に対応する並び替えを実行する電子図書館サービスを呼び出し（Ｓ２６），並び替え後の検索結果を電子図書館サイト３から取得して（Ｓ２７），図６の先頭に戻る。また，特徴量抽出部２２から引き渡された音声認識結果が，上述の単語以外の場合，手続き実行部２１が実行する手続きを資料検索手続きＴ１に遷移させる。
【００４５】
図７は，資料の検索結果を表示する電子図書館サイト３のページ７を説明する図である。図７で図示したページ６では，「歴史」が検索キーワードとして入力され，「歴史」に適合する資料のリスト７ａが検索結果として表示され，検索結果には，検索結果に含まれる資料毎に，資料の表紙画像，資料のタイトル，資料の著者名および資料の出版日が含まれる。また，図７で図示したページ７には，検索結果を並び替えるときに選択するボタンオブジェクト７ｂが含まれ，このボタンオブジェクト７ｂを選択することで，検索結果の並び替えとして，新着順，名昇順，名降順のいずれかを選択できるようになっている。
【００４６】
電子図書館アプリケーション２０の手続き実行部２１は，資料の検索結果として，資料のリスト７ａの内容を取得し，資料のリスト７ａに含まれるテキストを読み上げることになる。また，音声認識結果が歴史書２のタイトルの場合，手続き実行部２１は，歴史書２を選択状態にする。また，音声認識結果が新着順の場合，手続き実行部２１は，資料の検索結果を新着順に並び替える電子図書館サービスを呼び出す。
【００４７】
図８は，貸出手続きＴ３において，手続き実行部２１が実行する処理を説明する図である。貸出手続きＴ３において，電子図書館アプリケーション２０の手続き実行部２１は，まず，電子図書館サイト３にログインしているか否かにより処理を分岐する（Ｓ３０）。電子図書館アプリケーション２０の手続き実行部２１は，電子図書館サイト３へのログイン状況を内部情報として管理し，この内部情報を参照して，電子図書館サイト３にログインしているか否かを判断する。
【００４８】
電子図書館アプリケーション２０の手続き実行部２１は，電子図書館サイト３にログインしていなければ，手続き実行部２１が実行する手続きをログイン手続きＴ４に遷移させ，ログイン手続きＴ４に係る処理を実行する。また，手続き実行部２１は，電子図書館サイト３にログインしていれば，資料の貸出状況を提供する電子図書館サービスを呼び出し（Ｓ３１），資料選択手続きＴ２にて選択状態にした資料の貸出状況を電子図書館サイト３から取得し（Ｓ３２），選択状態にした資料をユーザが既に借りているか否かにより処理を分岐させる（Ｓ３３）。
【００４９】
選択状態にした資料の貸出状況により，選択状態にした資料が貸出されており，かつ，この資料を借りている者がユーザ自身の場合，電子図書館アプリケーション２０の手続き実行部２１は，手続き実行部２１が実行する手続きを再生手続きＴ５に遷移させる。
【００５０】
選択状態にした資料をユーザが借りていない場合，電子図書館アプリケーション２０の手続き実行部２１は，選択状態にした資料が貸出可能か否かにより処理を分岐させる（Ｓ３４）。選択状態にした資料が貸出可能な場合，電子図書館アプリケーション２０の手続き実行部２１は，音声入力を開始する動作を受け付ける状態になり，音声入力を開始する動作を検知すると（Ｓ４２），この時点に対応する音声ガイダンス（例えば，「資料を借りますか。」）をスピーカ２７から音声出力した後（Ｓ４３），音声認識を指定して特徴量抽出部２２を作動させる（Ｓ４４）。
【００５１】
特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ４５）。
【００５２】
電子図書館アプリケーション２０の手続き実行部２１は，ユーザがマイク２４に入力した音声の音声認識結果により処理を分岐させる（Ｓ４６）。電子図書館アプリケーション２０の手続き実行部２１は，音声認識結果が肯定を示す単語（例えば，「はい」）の場合，資料を貸し出す電子図書館サービスを呼び出し（Ｓ４７），資料を貸し出す電子図書館サービスの実行結果を電子図書館サイト３から受信すると，電子図書館サイト３から借りた資料，すなわち，資料選択手続きＴ２で選択状態にした資料のタイトルを音声合成サーバ５に送信して，資料のタイトルの合成音声を音声合成サーバ５から取得した後，音声合成サーバ５から取得した合成音声をスピーカ２７から音声出力し（Ｓ４８），手続き実行部２１が実行する手続きを再生手続きＴ５に遷移させる。なお，音声認識結果が肯定を示す単語でない場合，手続き実行部２１は，手続き実行部２１が実行する手続きを資料検索手続きＴ１に遷移させる。
【００５３】
選択状態にした資料が貸出不可の場合，電子図書館アプリケーション２０の手続き実行部２１は，音声入力を開始する動作を受け付ける状態になり，音声入力を開始する動作を検知すると（Ｓ３５），この時点に対応する音声ガイダンス（例えば，「資料を予約しますか。」）をスピーカ２７から音声出力した後（Ｓ３６），音声認識を指定して特徴量抽出部２２を作動させる（Ｓ３７）。
【００５４】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ３８）。
【００５５】
電子図書館アプリケーション２０の手続き実行部２１は，ユーザがマイク２４に入力した音声の音声認識結果により処理を分岐させる（Ｓ３９）。電子図書館アプリケーション２０の手続き実行部２１は，音声認識結果が肯定を示す単語の場合，資料を予約する電子図書館サービスを呼び出し（Ｓ４０），資料を予約する電子図書館サービスの実行結果を電子図書館サイト３から受信すると，電子図書館サイト３に予約した資料，すなわち，資料選択手続きＴ２で選択状態にした資料のタイトルを音声合成サーバ５に送信して，資料のタイトルの合成音声を音声合成サーバ５から取得した後，音声合成サーバ５から取得した合成音声をスピーカ２７から音声出力し（Ｓ４１），手続き実行部２１が実行する手続きを資料検索手続きＴ１に遷移させる。なお，音声認識結果が肯定を示す単語でない場合，手続き実行部２１は，手続き実行部２１が実行する手続きを資料検索手続きＴ１に遷移させる。
【００５６】
図９は，ログイン手続きＴ４において，手続き実行部２１が実行する処理を説明する図である。ログイン手続きＴ４において，電子図書館アプリケーション２０の手続き実行部２１は，音声入力を開始する動作を受け付ける状態になり，音声入力を開始する動作を検知すると（Ｓ５０），この時点に対応する音声ガイダンス（例えば，「ログインパスワードを話してください。」）をスピーカ２７から音声出力した後（Ｓ５１），音声認識と声紋認証を指定して特徴量抽出部２２を作動させる（Ｓ５２）。
【００５７】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識結果を音声認識サーバ４から受信する。また，特徴量抽出部２２は，ユーザがマイク２４に入力した音声を声紋認識部に引き渡し，声紋認証結果を声紋認証部２３から受信する。そして，特徴量抽出部２２は，音声認証結果と声紋認証結果を手続き実行部２１に引き渡し，手続き実行部２１は，音声認識結果と声紋認証結果を取得する（Ｓ５３）。
【００５８】
電子図書館アプリケーション２０の手続き実行部２１は，特徴量抽出部２２から音声認識結果と声紋認証結果が引き渡しされると，まず，音声認識結果に従い処理を分岐する（Ｓ５４）。手続き実行部２１は，特徴量抽出部２２から引き渡された音声認識結果が，予め手続き実行部２１に登録されているログインパスワードと一致しない場合，ログインパスワードエラーを通知する音声ガイダンスをスピーカ２７から音声出力した後（Ｓ５５），図９の先頭に戻る。
【００５９】
また，特徴量抽出部２２から引き渡された音声認識結果が，予め手続き実行部２１に登録されているログインパスワードと一致する場合，電子図書館アプリケーション２０の手続き実行部２１は，特徴量抽出部２２から引き渡しされた声紋認証結果に従い処理を分岐する（Ｓ５６）。手続き実行部２１は，特徴量抽出部２２から引き渡しされた声紋認証結果によって声紋認証の失敗が示される場合，声紋認証エラーを通知する音声ガイダンスをスピーカ２７から音声出力した後（Ｓ５７），図９の先頭に戻る。
【００６０】
電子図書館アプリケーション２０の手続き実行部２１は，特徴量抽出部２２から引き渡しされた声紋認証結果によって声紋認証の成功が示される場合，手続き実行部２１に登録されているユーザＩＤとログインパスワードとなる音声認証結果をパラメータとして，電子図書館サイト３にログインする電子図書館サービスを呼び出し（Ｓ５８），電子図書館サイト３にログインする電子図書館サービスの実行結果を電子図書館サイト３から取得すると，ユーザＩＤが電子図書館サイト３にログインしたことを通知するテキストを音声合成サーバ５に送信して，このテキストの合成音声を音声合成サーバ５から取得した後，音声合成サーバ５から取得した合成音声をスピーカ２７から音声出力して（Ｓ５９），手続き実行部２１が実行する手続きを貸出手続きＴ３に遷移させる。
【００６１】
図１０は，再生手続きＴ５において，手続き実行部２１が実行する処理を説明する図である。再生手続きＴ５において，電子図書館アプリケーション２０の手続き実行部２１は，音声入力を開始する動作を受け付ける状態になり，音声入力を開始する動作を検知すると（Ｓ６０），この時点に対応する音声ガイダンス（例えば，「借りている資料を読みますか。」）をスピーカ２７から出力した後（Ｓ６１），音声認識を指定して特徴量抽出部２２を作動させる（Ｓ６２）。
【００６２】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ６３）。
【００６３】
電子図書館アプリケーション２０の手続き実行部２１は，ユーザがマイク２４に入力した音声の音声認識結果により処理を分岐させる（Ｓ６４）。電子図書館アプリケーション２０の手続き実行部２１は，音声認識結果が肯定を示す単語でない場合，電子図書館操作フローの状態を資料検索手続きＴ１に遷移させる。また，音声認識結果が肯定を示す単語の場合，手続き実行部２１は，資料のコンテンツを提供する電子図書館サービスを呼び出し（Ｓ６５），資料のコンテンツを提供する電子図書館サービスの実行結果として，電子図書館サイト３から借りた資料のコンテンツを電子図書館サイト３から取得する（Ｓ６６）。
【００６４】
電子図書館アプリケーション２０の手続き実行部２１は，資料のコンテンツを電子図書館サイト３から取得すると，電子図書館サイト３から取得した資料のコンテンツに含まれるテキストを音声合成サーバ５へ送信して，このテキストに対応する合成音声を取得し，音声合成サーバ５から取得した合成音声をスピーカ２７から音声出力することで，電子図書館サイト３から借りた資料を再生する（Ｓ６７）。なお，手続き実行部２１は，電子図書館サイト３から取得した資料の再生は，所定のページ数単位で行い，手続き実行部２１は，資料の再生終了を実行すると，手続き実行部２１が実行する手続きを資料検索手続きＴ１に遷移させる。
【００６５】
電子図書館アプリケーション２０の手続き実行部２１は，音声により資料の再生を操作できる機能に対応していることが好適である。電子図書館アプリケーション２０の手続き実行部２１は，音声により資料の再生を操作できる機能に対応している場合，電子図書館アプリケーション２０の手続き実行部２１は，資料を再生している間，ユーザの音声を受け付ける状態になり，ユーザがマイク２４に入力した単語に対応する再生操作を実施する。なお，資料の再生操作としては，再生終了，一時停止および再生再開が考えられる。
【００６６】
図１１は，資料返却手続きにおいて，手続き実行部２１が実行する処理を説明する図である。図４において，「マイページ」のタブは，ユーザが電子図書館サイト３にログインしている状態でのみ有効なタブである。電子図書館サイト３にログインしている状態で，上述の資料検索手続きＴ１が実行され，音声認識結果が一致するカテゴリーが「マイページ」の場合，電子図書館アプリケーション２０の手続き実行部２１は，「マイページ」のタブが選択されたときの表示内容を検索結果として電子図書館サイト３から取得し，図１１で図示した返却手続きＴ６に係る処理が実行可能になる。
【００６７】
資料返却手続きにおいて，電子図書館アプリケーション２０の手続き実行部２１は，音声入力を開始する動作を受け付ける状態になり，音声入力を開始する動作を検知すると（Ｓ７０），資料返却手続きに対応する音声ガイダンス（例えば，「返却する資料を話してください」）をスピーカ２７から音声出力した後（Ｓ７１），音声認識を指定して特徴量抽出部２２を作動させる（Ｓ７２）。
【００６８】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ７３）。
【００６９】
電子図書館アプリケーション２０の手続き実行部２１は，ユーザがマイク２４に入力した音声の音声認識結果により処理を分岐させる（Ｓ７４）。特徴量抽出部２２から引き渡された音声認識結果が，資料のタイトルまたは資料の番号でない場合，手続き実行部２１は，手続き実行部２１が実行する手続きを資料検索手続きＴ１に遷移させる。また，特徴量抽出部２２から引き渡された音声認識結果が，資料のタイトルまたは資料の番号のいずれかである場合，手続き実行部２１は，音声認識結果（ここでは，タイトルまたは番号）で特定される資料を選択状態にしてから（Ｓ７５），音声入力を開始する動作を受け付ける状態になり，音声入力を開始する動作を検知すると（Ｓ７６），資料返却手続きに対応する音声ガイダンス（例えば，「選択された資料を返却しますか」）をスピーカ２７から音声出力した後（Ｓ７７），音声認識を指定して特徴量抽出部２２を作動させる（Ｓ７８）。
【００７０】
電子図書館アプリケーション２０の特徴量抽出部２２は，ユーザがマイク２４に音声を入力すると，ユーザがマイク２４に入力した音声の特徴量を抽出し，抽出した特徴量を音声認識サーバ４に送信した後，音声認識サーバ４から受信した音声認識結果を手続き実行部２１に引き渡し，手続き実行部２１は，ユーザがマイク２４に入力した音声の音声認識結果を取得する（Ｓ７９）。
【００７１】
電子図書館アプリケーション２０の手続き実行部２１は，ユーザがマイク２４に入力した音声の音声認識結果により処理を分岐させる（Ｓ８０）。電子図書館アプリケーション２０の手続き実行部２１は，音声認識結果が肯定を示す単語の場合，特徴量抽出部２２から音声認識結果が引き渡されると，資料を返却する電子図書館サービスを呼び出し（Ｓ８１），音声認識結果で特定される資料を電子図書館サイト３へ返却し，資料を返却する電子図書館サービスの実行結果を電子図書館サイト３から受信すると，電子図書館サイト３に返却した資料のタイトルを音声合成サーバ５に送信して，資料のタイトルの合成音声を音声合成サーバ５から取得した後，音声合成サーバ５から取得した合成音声をスピーカ２７から音声出力して（Ｓ８２），手続き実行部２１が実行する手続きを資料検索手続きＴ１に遷移させる。なお，音声認識結果が肯定を示す単語でない場合，手続き実行部２１は，手続き実行部２１が実行する手続きを資料検索手続きＴ１に遷移させる。
【符号の説明】
【００７２】
１    電子図書館システム
２    携帯端末
２０  電子図書館アプリケーション
２１  手続き実行部
２２  特徴量抽出部
２３  声紋認証部
２４  マイク
２５  モーションセンサ
２６  タッチパネル
２７  スピーカ
３    電子図書館サイト
４    音声認識サーバ
５    音声合成サーバ
【図１】
0006485214.tif 000002
【図２】
0006485214.tif 000003
【図３】
0006485214.tif 000004
【図４】
0006485214.tif 000005
【図５】
0006485214.tif 000006
【図６】
0006485214.tif 000007
【図７】
0006485214.tif 000008
【図８】
0006485214.tif 000009
【図９】
0006485214.tif 000010
【図１０】
0006485214.tif 000011
【図１１】
0006485214.tif 000012